(57)【要約】【課題】光ファイバを敷設する現場で容易に作業可能であり、光ファイバに損傷を与えることなく無反射処理することができる光ファイバの端末処理部材を提供する。【解決手段】本発明に係る光ファイバの端末処理部材１は、光ファイバＦの端部を収容する収容部３と、収容部３の内側に設けられた屈折率整合剤と、端部を収容部３に収容した状態に光ファイバＦを保持する保持部２と、を有する。【選択図】    図１
2005017740.tif 000002
【特許請求の範囲】
【請求項１】
光ファイバの端部を収容する収容部と、前記収容部の内側に設けられた屈折率整合剤と、前記端部を前記収容部に収容した状態に前記光ファイバを保持する保持部と、を有することを特徴とする光ファイバの端末処理部材。
【請求項２】
請求項１に記載の光ファイバの端末処理部材であって、
前記保持部は、前記収容部と当該端末処理部材の外部とを連通する挿通孔を有し、前記挿通孔は、前記外部に向かって広がっていることを特徴とする光ファイバの端末処理部材。
【請求項３】
請求項１または２に記載の光ファイバの端末処理部材であって、
前記収容部と前記保持部とは、別部材で構成されており、前記収容部と前記保持部とを相互に位置規制する固定部を備えていることを特徴とする光ファイバの端末処理部材。
【請求項４】
請求項３に記載の光ファイバの端末処理部材であって、
前記固定部は、前記収容部と前記保持部とを２段階で位置規制でき、２段階目で前記保持部が前記光ファイバを保持するように作用することを特徴とする光ファイバの端末処理部材。
【請求項５】
請求項１または２に記載の光ファイバの端末処理部材であって、
前記収容部は、収容する光ファイバのほぼ長手方向に沿って半割構造であることを特徴とする光ファイバの端末処理部材。
【請求項６】
請求項５に記載の光ファイバの端末処理部材であって、
前記保持部は、保持する光ファイバのほぼ長手方向に沿って半割構造であることを特徴とする光ファイバの端末処理部材。
【請求項７】
請求項１から６の何れか１項に記載の光ファイバの端末処理部材であって、
前記収容部は、収容した前記光ファイバを外から視認可能とする、透明または半透明の部材で構成されていることを特徴とする光ファイバの端末処理部材。
【請求項８】
請求項１から７の何れか１項に記載の光ファイバの端末処理部材であって、
全体の外形寸法が、光ファイバの融着補強スリーブとほぼ同等であることを特徴とする光ファイバの端末処理部材。
【発明の詳細な説明】
【０００１】
【発明の属する技術分野】
本発明は、光ファイバの端末を無反射処理するための光ファイバの端末処理部材に関する。
【０００２】
【従来の技術】
光ファイバは、端部が受信側の機器等に接続されずに、開放された状態で敷設されることがある。その場合には、端面における伝送信号の反射を防ぐために、無反射処理が施される。
光ファイバの端末を無反射処理する方法として、その端末に特殊な加工を施して、反射を防ぐことが知られている。特殊な加工とは、例えば、光ファイバの端部を、斜めに切断すること（例えば、特許文献１参照。）や、球体に加工する等である。
【０００３】
特許文献１には、光ファイバのコネクタフェルール内に光ファイバが挿入固定され、フェルール内にある光ファイバは斜めに切断され、かつその切断面間に隙間が形成されている、光ファイバの無反射終端部が記載されている。そして、その隙間には樹脂が充填されている。
ここで、光ファイバを切断する角度が８°以上であれば、光ファイバに入射した光が、その切断面で反射して光ファイバ内に戻ることが防がれる。
【０００４】
また、無反射処理の他の方法としては、光ファイバを曲げた状態で保持すること（例えば、特許文献２参照。）が知られている。
特許文献２には、光ファイバをパイプに挿通させ、パイプを曲げてコイル状に変形させて、光ファイバに変形部分を形成することにより、無反射終端器とすることが記載されている。
この無反射終端器では、光ファイバがコイル状に曲げられるため、曲げ損失によって光信号の損失が発生するようになっている。すなわち、光信号が光ファイバの終端に向かって伝搬する際、変形部分において光信号の一部が損失する。ここで損失しなかった光信号が終端に達すると、フレネル反射が発生し、さらに光信号の一部が損失する。フレネル反射による反射光の一部は、はじめの伝搬方向と逆方向に光ファイバを伝搬するが、変形部分において、再度損失が発生する。このように、光信号は、無反射終端器を構成する光ファイバを往復する間に、曲げ損失と、終端における反射の際に発生する損失とによって、減衰する。
【０００５】
また、光ファイバが接続されたコネクタに対して、終端装置を結合させて無反射処理を行うこと（例えば、特許文献３参照。）も知られている。
特許文献３に記載の終端装置は、ハウジング内にフェルールを収容し、このフェルール内に終端光ファイバとして機能する光ファイバコードを収容する。そして、フェルールの後端面、つまり光ファイバコードの後端面側に空間部を設け、この空間部に光ファイバコードのコアよりも屈折率の大きいマッチングオイルを充填して、フェルールの後端面をマッチングオイルに浸し、光ファイバコードの前端側から入り込む信号を無反射でマッチングオイル側に出す。
【０００６】
【特許文献１】
特開平８−１６０２４５号公報（図１）
【特許文献２】
特開平１１−３０５０５２号公報（図１）
【特許文献３】
特開平５−４０２１３号公報（図１）
【０００７】
【発明が解決しようとする課題】
ところで、光ファイバの端末処理は、光ファイバを融着したり分岐したりする現場で作業を行うことが望まれている。
しかしながら、光ファイバの端末に特殊な加工を施して端末処理する方法では、その加工を施すための装置や治具が必要となるため、現場で作業することに不向きであり、工場内での作業となってしまう。
また、光ファイバを曲げた状態で保持して端末処理する方法では、経時的変化によって、曲げられた光ファイバが損傷したり断線を起こしたりしてしまうおそれがある。
さらに、コネクタに終端装置を結合させて端末処理する方法では、その対象がコネクタに接続された光ファイバのみに限定されてしまう。また、コネクタと終端装置との間の光ファイバの接続部分で発生する反射を防ぐことはできない。
【０００８】
本発明は、光ファイバを敷設する現場で容易に作業可能であり、光ファイバに損傷を与えることなく無反射処理することができる光ファイバの端末処理部材を提供することを目的としている。
【０００９】
【課題を解決するための手段】
上記目的を達成することのできる本発明に係る光ファイバの端末処理部材は、光ファイバの端部を収容する収容部と、収容部の内側に設けられた屈折率整合剤と、端部を収容部に収容した状態に光ファイバを保持する保持部と、を有することを特徴としている。
【００１０】
このような構成の光ファイバの端末処理部材は、光ファイバを収容部に収容することで、その光ファイバの端部を屈折率整合剤で覆って、容易に無反射処理することができる。そのため、工場内で光ファイバを加工する必要がなく、敷設現場で端末を無反射処理することができる。また、光ファイバを強制的に曲げる必要がなく、光ファイバを傷めてしまうことを防止できる。
【００１１】
また、本発明に係る光ファイバの端末処理部材において、保持部は、収容部と当該端末処理部材の外部とを連通する挿通孔を有し、挿通孔は、外部に向かって広がっていることが好ましい。
【００１２】
また、本発明に係る光ファイバの端末処理部材において、収容部と保持部とは、別部材で構成されており、収容部と保持部とを相互に位置規制する固定部を備えていることが好ましい。
【００１３】
また、本発明に係る光ファイバの端末処理部材において、固定部は、収容部と保持部とを２段階で位置規制でき、２段階目で保持部が光ファイバを保持するように作用することが好ましい。
【００１４】
また、本発明に係る光ファイバの端末処理部材において、収容部は、収容する光ファイバのほぼ長手方向に沿って半割構造であることが好ましい。
【００１５】
また、本発明に係る光ファイバの端末処理部材において、保持部は、保持する光ファイバのほぼ長手方向に沿って半割構造であることが好ましい。
【００１６】
また、本発明に係る光ファイバの端末処理部材において、収容部は、収容した光ファイバを外から視認可能とする、透明または半透明の部材で構成されていることが好ましい。
【００１７】
また、本発明に係る光ファイバの端末処理部材において、全体の外形寸法が、光ファイバの融着補強スリーブとほぼ同等であることが好ましい。
【００１８】
【発明の実施の形態】
以下、本発明に係る光ファイバの端末処理部材の実施の形態を、図面を参照しつつ説明する。
図１に、本実施形態の光ファイバの端末処理部材の斜視図を示す。
図１に示すように、端末処理部材１は、光ファイバの端部を収容する薄肉円筒状の収容部３と、光ファイバを保持する厚肉円筒状の保持部２との２つを組み合わせて構成されている。保持部２は、収容部３に嵌め込まれて固定され、端末処理部材１として一体化されるものである。図２は、保持部２の断面図であり、図３は、収容部３の断面図である。
【００１９】
図１及び図２に示すように、保持部２は、その中心軸に沿った貫通孔４が形成された肉厚の円筒形状をなしている。貫通孔４は、通常は光ファイバを自由に挿通させることができ、収容部３に嵌め込まれたときに内側に変形して光ファイバを把持するものである。貫通孔４は、例えば４心の光ファイバテープ心線を挿通可能な程度の平穴形状である。貫通孔４の大きさは、単心の光ファイバ心線や、複数心の光ファイバテープ心線を挿通させることができるように、その用途に合わせて適宜設定することができる。また、貫通孔４における光ファイバの入口側（図２中左側）は、その内径が外側に向けて広がったテーパ部５として形成されている。
【００２０】
また、保持部２の外周には、収容部３の外径と同等の外径を有する頭部６が光ファイバの入口側に形成されている。頭部６以外の挿入部７は、収容部３の内側に挿入できる程度に、その外径が収容部３の内径とほぼ同等である。また、挿入部７には、この挿入部７を収容部３に挿入した状態で相互の位置規制を図る、固定部の一部を構成する係止突起８が形成されている。係止突起８は、保持部２の中心軸方向に所望の間隔をあけて２箇所に設けられており、それぞれ周方向の反対の位置に２箇所づつ設けられている。係止突起８における、挿入部７の挿入開始側（図２中右側）は、収容部３との接触角度を緩やかにして挿入時の抵抗を小さくするように、若干傾斜して形成されている。
【００２１】
また、挿入部７における頭部６との境界部分には、凸状の押圧部９が周方向の反対の位置に２箇所設けられている。この押圧部９が形成される周方向の位置は、貫通孔４が丸穴である場合には特にどこであっても構わないが、貫通孔４が平穴である場合には、その断面の短手方向上であることが望ましい。
【００２２】
このように構成された保持部２は、弾性体であることが好ましい。保持部２の材質としては、例えば、熱可塑性エラストマーや、ＥＰＤＭ（エチレンプロピレンゴム）、ＮＢＲ（アクリロニトリルブタジエンゴム）等のゴムを用いると良い。
【００２３】
図１及び図３に示すように、収容部３は、長手方向の一端側（図３中左側）が開口し、他端側（図３中右側）が閉じられた、ほぼ円筒状の部材である。この収容部３の内側は、保持部２の挿入部７を挿入可能であり、なおかつ保持部２の貫通孔４を通して挿入された光ファイバを収容することができる、収容空間１０として形成されている。
【００２４】
また、収容部３は、収容空間１０に収容した光ファイバの端部の位置が、外側から目視により識別できることが好ましい。そのため、収容部３は、透明または半透明の部材で構成されている。収容部３の材質としては、プラスチックやガラスを用いることができる。好適に用いられるプラスチックとしては、例えば、アクリルポリカーボネート、ポリプロピレン、ポリエチレルテレフタラート、等を例示できる。
【００２５】
収容空間１０には、光ファイバのコアとほぼ同等の屈折率を有する屈折率整合剤（図示せず）が充填されている。屈折率整合剤は、シリコンオイルやシリコングリース等が使用できる。用いる屈折率整合剤は、収容空間１０から外へ漏れないように、液状であるよりは、粘度が高いグリース状である方が好ましい。
また、屈折率整合剤は、本実施形態では収容空間１０のほぼ全域に充填されているが、これより少量であっても収容された光ファイバの端部を覆うことができれば良く、その充填量は問わない。
【００２６】
また、保持部２の挿入部７が完全に収容された状態における、係止突起８が位置する箇所には、係止突起８の形状とほぼ同等の係止窓１１が形成されている。係止窓１１は、挿入部７の挿入に伴って内側に係止突起８が配置されると、相互に係止し合って保持部２と収容部３との挿入方向と逆方向への相対移動を規制する。
【００２７】
次に、本実施形態の光ファイバの端末処理部材１を用いて光ファイバの端末を無反射処理する方法について説明する。
まず、図４に示すように、光ファイバＦを、保持部２のテーパ部５から貫通孔４に挿通する。そして、図５に示すように、光ファイバＦを挿通させた保持部２を、その挿入部７側から収容部３の収容空間１０に挿入していく。
【００２８】
次いで、図６に示すように、４つの係止窓１１に４つの係止突起８が入るまで挿入部７を収容空間１０内に挿入すると、頭部６と収容部３とが当接し、係止突起８と係止窓１１との係止作用により収容部３と保持部２が相互に位置規制されて一体化される。このとき、光ファイバＦの端部は、収容空間１０内に設けられた屈折率整合剤により覆われて、無反射処理が施される。
【００２９】
また、頭部６と収容部３とが当接した状態では、保持部２の押圧部９は、収容部３との干渉により内方に作用する力を受ける。これにより、図７に示すように、押圧部９から作用した力がその内方の挿通孔４の内壁を内側に変形させ、挿通された光ファイバＦが把持される。そのため、光ファイバＦに例えば引っ張り力等が作用しても、貫通孔４から光ファイバＦが抜け出すことを防止できるため、光ファイバＦの端部が屈折率整合剤に覆われた状態を安定して維持することができる。したがって、光ファイバＦに対して安定した無反射処理を行うことができる。
【００３０】
なお、本実施形態の光ファイバの端末処理部材１は、係止突起８と係止窓１１からなる固定部が、挿入方向にそって２箇所設けられているため、収容部３と保持部２とを２段階で位置規制することができる。この２段階の位置規制を利用した、収容部３と保持部２とのより好ましい嵌め込み手順を次に説明する。
【００３１】
まず、保持部２に光ファイバＦを挿入する前に、挿入開始側に設けられた係止突起８が収容部３の開口端側に設けられた係止窓１１に入るまで、挿入部７を収容空間１０に挿入する。この状態は、位置規制の第１段階であり、光ファイバＦの挿通及び挿入部７のさらなる挿入は可能であるが、抜け出しが防止された状態である。そして、図５に示すように、この状態で光ファイバＦを挿通孔４に挿通させ、光ファイバＦの端部を収容空間１０内に配置させる。これにより、光ファイバＦの無反射処理は施されるが、光ファイバＦの抜け出しを防止するために、頭部６が収容部３に当接するまで、すなわち図６及び図７に示す状態まで、保持部２を収容部３に向けて押し込み、挿入する。この状態が、位置規制の第２段階である。この第２段階で、光ファイバＦは保持部２によって保持される。
【００３２】
このように、第１段階目で保持部２と収容部３とを仮固定しておき、これに光ファイバＦを挿入して第２段階目の位置規制を行うようにすれば、先に説明した保持部２と収容部３とが別々となった状態で光ファイバＦを挿入する場合に比べて、収容空間１０への光ファイバＦの挿入が確実かつ容易であり、その後保持部２を押し込むだけで端末処理作業を完了することができる。
【００３３】
以上説明した光ファイバの端末処理部材１によれば、光ファイバに対して特殊な加工を施すことなく、さらに光ファイバに曲げなどの多大な負荷を与えることなく無反射処理を行うことができる。そのため、光ファイバの端末処理部材１を用意しておけば、光ファイバを敷設する現場で、容易に、かつ光ファイバに損傷を与えることなく端末の無反射処理を行うことができる。
【００３４】
次に、端末処理を行う前の光ファイバＦの端末部の形成について、従来の方法と比較して説明する。
例えば、単心の光ファイバ心線を光ファイバＦとして説明する。従来は、ニッパ等によって光ファイバＦを切断した場合、図８に示すように、コアとクラッドを有するガラスファイバ１５の周囲に被覆された樹脂の被覆層１６が、きれいに切断されずに変形してしまう場合がある。この変形により、樹脂だれ部１７ができてしまい、この樹脂だれ部１７がガラスファイバ１５の端面を部分的あるいは全体的に覆ってしまうことがある。このように、ガラスファイバ１５の端面が一部分でも覆われてしまうと、屈折率整合剤がガラスファイバ１５の切断端面を直接覆わなくなり、その部分で反射が生じてしまうため、好ましくない。
【００３５】
そのため、本実施形態では、光ファイバＦを一度に切断せずに、まず、図９に示すように、ガラスファイバ１５を切断する箇所まで、例えば１０ｍｍ程度の長さで、被覆層１６のみを除去する。その後、露出したガラスファイバ１５の、被覆層１６が覆われた部分の境界部分を、ニッパ等の工具で切断する。これにより、ガラスファイバ１５の切断端面が完全に露出して、屈折率整合剤が良好にガラスファイバ１５の切断端面を覆うようになる。したがって、屈折率整合剤による無反射処理の効果を最大限に得ることができる。
【００３６】
次に、本発明に係る光ファイバの端末処理部材の、用途の一例を図１０に示す。
図１０は、光ファイバの融着トレイを示す上面図である。融着トレイ２０は、光接続箱やクロージャ等の内部に設置されるものであり、光ファイバＦの余長を収容することが可能なトレイ本体２１と、融着部やメカニカルスプライス、あるいは光スプリッタ（例えばカプラ）を固定可能な固定部２２を有している。
【００３７】
トレイ本体２１は、薄板状のプレートに枠２３が設けられた筐体であって、プラスチックまたは金属により形成されている。枠２３によって画成された余長収容部２４は、入口２５から導入した光ファイバＦ１と、出口２６から導入した光ファイバＦ２を収容するためのスペースである。収容された光ファイバＦ１，Ｆ２の余長は、光ファイバＦ１，Ｆ２を相互に融着接続する際の作業性を確保するものである。光ファイバＦ１，Ｆ２の融着接続を行った場合には、トレイ本体２１の中央部分に形成された複数の固定部２２にその融着部Ｆ３が固定される。
また、枠２３には、余長収容部２４に収納された光ファイバＦ１，Ｆ２が上方へ飛び出すことを防ぐために、爪２７が複数形成されている。
【００３８】
本発明に係る光ファイバの端末処理部材は、例えばカプラＦ４によって分岐された光線路の一方の光ファイバを端末処理するために用いられる。図１０に示すように、上述した光ファイバの端末処理部材１は、カプラＦ４に接続された光ファイバＦ５の端末に取り付けられ、カプラＦ４から分岐されて使用しない波長の伝送信号を無反射処理している。ここで、光ファイバの端末処理部材１の全体の外形寸法は、光ファイバの融着部（融着補強スリーブ）Ｆ３とほぼ同等に形成されている。
【００３９】
これにより、端末処理部材１は、融着部Ｆ３やカプラＦ４の取り付けに適応した大きさの固定部２２に容易に取り付けることができる。融着部Ｆ３の大きさは、一般的には直径が４ｍｍ、長さが４０ｍｍの円筒状であり、また、メカニカルスプライスの大きさは、断面が４ｍｍ×４ｍｍの正方形であり、長さが４０ｍｍの直方体である。そして、固定部２２の大きさは、融着部やメカニカルスプライスの大きさに対応して、深さが４ｍｍであり、融着部等をその幅方向に位置規制するために立設された爪の間隔が４ｍｍである。
このように、本実施形態の光ファイバの端末処理部材１は、光ファイバの光線路設計に使用される種々の部材を固定する箇所に適応する大きさに形成されており、融着作業等が行われる種々の作業現場で好適に用いることができる。
【００４０】
次に、本発明に係る光ファイバの端末処理部材の他の実施の形態の例について説明する。
図１１に示すように、光ファイバの端末処理部材３０は、２つの収容部３１がヒンジ３６を介して一体的に成形されており、収容部３１の一端側には、それぞれ保持部３２が設けられている。収容部３１の収容空間３７には、屈折率整合剤（図示せず）が設けられている。
これらの収容部３１及び保持部３２は、光ファイバＦを挟み込んで収容あるいは保持するためのものであり、それぞれ筒状の部材が半割形状とされて構成されている。また、一方の収容部３１の側方の端部には係止爪３４が形成されており、他方の収容部３１の側方の端部には、係止爪３４と対応する位置に係止凹部３５が形成されている。２つの収容部３１同士を、ヒンジ３６を折り曲げて互いに接合させると、図１２に示すように、これら係止爪３４と係止凹部３５が相互に係止されて、収容部３１が円筒形状となって収容空間３７が閉じられる。
【００４１】
また、図１１に示すように、保持部３２は、収容部３１が閉じられたときに挿通孔を形成するための保持溝３３が形成されている。保持部３２は、上記の保持部２（図１参照）と同様に、弾性体で形成されている。また、保持溝３３を２つ合わせた状態の挿通孔は、保持する光ファイバＦに比べて若干小さく形成されている。すなわち、図１２に示すように、収容部３１が閉じられることに伴って、保持溝３３内に配置された光ファイバＦを保持することができる。
【００４２】
さらに、図１３及び図１４に、本発明に係る光ファイバの端末処理部材の他の実施の形態の例を示す。
図１３に示すように、光ファイバの端末処理部材４０は、収容空間４７が形成された収容部４１と、その収容空間４７を閉じるための蓋として機能する収容部４１ａが、ヒンジ４６を介して一体的に成形されている。収容部４１の一端側には、保持部４２が形成されている。収容部４１の収容空間４７には、屈折率整合剤（図示せず）が設けられている。
【００４３】
また、保持部４２は、収容空間４７が閉じられたときに挿通孔を形成するための保持溝４３が形成されている。保持部４２は、上記の保持部２（図１参照）と同様に、弾性体で形成されている。また、保持溝４３の深さは、保持する光ファイバＦに比べて若干小さく形成されている。すなわち、図１４に示すように、収容空間４７が閉じられることに伴って、保持溝４３内に配置された光ファイバＦを保持することができる。
【００４４】
また、収容部４１ａの角には係止突起４４が形成されており、収容部４１の角には、係止突起４４と対応する位置に係止凹部４５が形成されている。収容部４１、４１ａを、ヒンジ４６を折り曲げて互いに接合させると、図１４に示すように、これら係止突起４４が係止凹部４５に嵌め込まれて相互に係止され、全体が直方体形状となって収容空間４７が閉じられる。
【００４５】
この光ファイバの端末処理部材４０は、上述した端末処理部材１，３０に比べて薄型の、直方体の外形を有している。
薄型である端末処理部材４０は、上述した端末処理部材１，３０が１つ毎に設置される場所に、複数固定することができる。例えば、図１５に示すように、融着トレイ２０（図１０参照）の固定部２２に、積層させて複数固定することができる。つまり、端末処理の省スペース化を図ることができる。
【００４６】
また、図１６及び図１７に示すように、他の実施の形態である光ファイバの端末処理部材５０は、多条導入型の端末処理部材である。
図１６及び図１７に示す光ファイバの端末処理部材５０は、ほぼ円筒形状の収容部５１の開口端部を覆うように、ゴム等の弾性体で形成された薄膜（保持部）５３が設けられている。薄膜５３は、光ファイバＦを貫通させることで光ファイバＦを収容空間５２内に導入し、その弾性力によって光ファイバＦを保持することができる。収容空間５２内には、屈折率整合剤が充填されている。
このように構成された光ファイバの端末処理部材５０は、同時に複数の光ファイバＦを保持することができるため、多数の光ファイバＦを端末処理することに適している。
【００４７】
また、図１８に示すように、収容部５１ａの長手方向の両端部に薄膜５３を設けて、収容空間５２の両側から光ファイバＦを導入しても良い。これにより、更なる多条導入を図ることができる。
【００４８】
さらに他の実施の形態の例を、図１９に示す。
図１９に示す光ファイバの端末処理部材６０は、収容部６１が形成されたフィルム状の保持部６２を２枚張り合わせて接着し、端末処理を行うものである。
収容部６１の内側には、収容空間が形成されており、収容空間内には屈折率整合剤が充填されている。また、屈折率整合剤が充填された側の保持部６２には、接着層が設けられ、さらに接着層を覆うようにりけい紙が張られている。
【００４９】
この端末処理部材６０を使用する際には、まず、一方の保持部６２に張られたりけい紙を剥がして、接着層を露出させる。そして、光ファイバＦを、その端末が屈折率整合剤に浸されるように接着層に貼り付ける。そして、もう一方の保持部６２を、そのりけい紙を剥がした後、互いの保持部６２及び収容部６１が対向するようにして、光ファイバＦを両側から覆うようにして貼り付ける。
この端末処理部材６０は、上述した各種の端末処理部材に比べて薄型であるため、例えば融着トレイ内に数多く収容することができる。
【００５０】
【発明の効果】
以上説明したように、本発明の光ファイバの端末処理部材によれば、光ファイバを敷設する現場で容易に作業可能であり、光ファイバに損傷を与えることなく無反射処理することができる。
【図面の簡単な説明】
【図１】本発明に係る光ファイバの端末処理部材の一実施形態を示す斜視図である。
【図２】図１に示した保持部の断面図である。
【図３】図１に示した収容部の断面図である。
【図４】図１に示した保持部に光ファイバを挿通させた状態を示す斜視図である。
【図５】図１に示した収容部と保持部との位置規制の第１段階を示す斜視図である。
【図６】図１に示した収容部と保持部との位置規制の第２段階を示す斜視図である。
【図７】図６に示した光ファイバの端末処理部材の部分断面図である。
【図８】光ファイバの端末を示す斜視図である。
【図９】光ファイバの端末の加工を示す斜視図である。
【図１０】本発明に係る光ファイバの端末処理部材が収容される融着トレイを示す上面図である。
【図１１】本発明に係る光ファイバの端末処理部材の他の実施の形態を示す斜視図である。
【図１２】図１１に示した端末処理部材を組み付けた状態を示す斜視図である。
【図１３】本発明に係る光ファイバの端末処理部材の他の実施の形態を示す斜視図である。
【図１４】図１３に示した端末処理部材を組み付けた状態を示す斜視図である。
【図１５】図１４に示した端末処理部材を融着トレイに収容する様子を示す断面図である。
【図１６】本発明に係る光ファイバの端末処理部材の他の実施の形態を示す斜視図である。
【図１７】図１６に示した端末処理部材の要部断面図である。
【図１８】図１６に示した端末処理部材の変形例を示す断面図である。
【図１９】本発明に係る光ファイバの端末処理部材の他の実施の形態を示す斜視図である。
【符号の説明】
１    光ファイバの端末処理部材
２    保持部
３    収容部
４    挿通孔
５    テーパ部
６    頭部
７    挿入部
８    係止突起
９    押圧部
１０    収容空間
１１    係止窓
Ｆ    光ファイバ
【図１】
2005017740.tif 000003
【図２】
2005017740.tif 000004
【図３】
2005017740.tif 000005
【図４】
2005017740.tif 000006
【図５】
2005017740.tif 000007
【図６】
2005017740.tif 000008
【図７】
2005017740.tif 000009
【図８】
2005017740.tif 000010
【図９】
2005017740.tif 000011
【図１０】
2005017740.tif 000012
【図１１】
2005017740.tif 000013
【図１２】
2005017740.tif 000014
【図１３】
2005017740.tif 000015
【図１４】
2005017740.tif 000016
【図１５】
2005017740.tif 000017
【図１６】
2005017740.tif 000018
【図１７】
2005017740.tif 000019
【図１８】
2005017740.tif 000020
【図１９】
2005017740.tif 000021